(57)【要約】【課題】自然な音像定位を与えながら高品質な再生音をリスナに聴取させるようにする。【解決手段】リスナの頭部１００に装着された際、電気音響変換部２Ｌのスピーカユニット７Ｌを当該リスナの外耳道入口１０２Ｌよりもやや前方に位置させると共に、管状ダクト８Ｌの孔部８ＡＬを外耳道入口１０２Ｌの近傍に位置させた状態で再生音を出力することにより、バスレフダクトとして作用する管状ダクト８Ｌの孔部８ＡＬから放射する低音を十分な音圧レベルで鼓膜１０３に到達させることができ、さらに管状ダクト８Ｌを動かすことなく筐体部４Ｌを回転させることができるので、自然な音像定位を与えながら比較的低音域まで充分な音圧レベルでなる良好な再生音をリスナに聴取させ、さらに周囲への音漏れを低減させることができる。【選択図】図３
2008141690.tif 000002
【特許請求の範囲】
【請求項１】
リスナの頭部の所定位置に装着された筐体部と、
上記筐体部の一面に取り付けられ、上記筐体部が上記リスナの頭部に装着された際、上記リスナの外耳道入口との間に所定距離が設けられたスピーカユニットと、
上記筐体部の内部空間に生じさせた音を上記リスナの外耳道入口近傍まで到達させるよう延長された管状ダクトと、
上記筐体部を回転させることにより上記リスナの頭部側面と上記筐体部の一面とがなす角度を変化させる回転部と
を具えることを特徴とする電気音響変換器。
【請求項２】
上記回転部は、
上記筐体部が回転される際、上記管状ダクトの角度を維持する
ことを特徴とする請求項１に記載の電気音響変換器。
【請求項３】
上記回転部は、
上記筐体部から突出し上記筐体部の内部空間と接続されている中空の軸部と、中空の筒状でなり上記軸部を回転自在に軸支する軸受部とを有し、
上記軸受部は、
上記管状ダクトが取り付けられ当該軸受部の内部空間と当該管状ダクトの内部空間とが接続されていることにより上記筐体部の内部空間に生じた音を上記リスナの外耳道入口近傍まで到達させる
ことを特徴とする請求項２に記載の電気音響変換器。
【請求項４】
上記管状ダクトは、
バスレフ型スピーカのダクトとして作用する
ことを特徴とする請求項１に記載の電気音響変換器。
【請求項５】
上記管状ダクトは、
上記筐体部の内部空間から上記リスナの外耳道入口近傍まで延長されると共に上記筐体部の内部空間へ再度戻る略Ｕ字状に形成され、上記リスナの上記外耳道入口近傍に放音用の孔部が設けられた
ことを特徴とする請求項１に記載の電気音響変換器。
【請求項６】
上記管状ダクトは、
上記外耳道入口近傍に位置する端部が上記リスナの外耳道内部へ入り込むことを防止するための保護部が設けられた
ことを特徴とする請求項１に記載の電気音響変換器。
【請求項７】
上記スピーカユニットに供給される音声信号のうち所定の周波数帯域成分を当該音声信号の音量レベルに応じて減衰させ当該スピーカユニットに供給する周波数特性調整回路と
を具えることを特徴とする請求項１に記載の電気音響変換器。
【請求項８】
リスナの頭部の所定位置に装着された筐体部と、上記筐体部の一面に取り付けられ、上記筐体部が上記リスナの頭部に装着された際、上記リスナの外耳道入口との間に所定距離が設けられたスピーカユニットと、上記筐体部の内部空間に生じた音を上記リスナの外耳道入口近傍まで到達させるよう延長された管状ダクトと、上記筐体部を回転させることにより上記リスナの頭部側面と上記筐体部の一面とがなす角度を変化させる回転部とを有する電気音響変換器と、
上記スピーカユニットと上記リスナの外耳道入口との間に上記所定距離が設けられるよう上記電気音響変換器を上記リスナの頭部に装着させる装着部と
を具えることを特徴とするイヤースピーカ装置。
【請求項９】
上記回転部は、
上記筐体部が回転される際、上記管状ダクトの角度を維持する
ことを特徴とする請求項８に記載のイヤースピーカ装置。
【請求項１０】
上記回転部は、
上記筐体部から突出し上記内部空間と接続されている中空の軸部と、中空の筒状でなり上記軸部を回転自在に軸支すると共に上記装着部に取り付けられた軸受部とを有し、
上記軸受部は、
上記管状ダクトが取り付けられ当該軸受部の内部空間と当該管状ダクトの内部空間とが接続されていることにより上記筐体部の内部空間に生じた音を上記リスナの外耳道入口近傍まで到達させる
ことを特徴とする請求項９に記載のイヤースピーカ装置。
【請求項１１】
上記管状ダクトは、
バスレフ型スピーカのダクトとして作用する
ことを特徴とする請求項８に記載のイヤースピーカ装置。
【請求項１２】
上記管状ダクトは、
上記筐体部の内部空間から上記リスナの外耳道入口近傍まで延長されると共に上記筐体部の内部空間へ再度戻る略Ｕ字状に形成され、上記リスナの上記外耳道入口近傍に放音用の孔部が設けられた
ことを特徴とする請求項８に記載のイヤースピーカ装置。
【請求項１３】
上記管状ダクトは、
上記外耳道入口近傍に位置する端部が上記リスナの外耳道内部へ入り込むことを防止するための保護部が設けられた
ことを特徴とする請求項８に記載のイヤースピーカ装置。
【請求項１４】
上記スピーカユニットに供給される音声信号のうち所定の周波数帯域成分を当該音声信号の音量レベルに応じて減衰し当該スピーカユニットに供給する周波数特性調整回路と
を具えることを特徴とする請求項８に記載のイヤースピーカ装置。
【請求項１５】
上記装着部は、
上記電気音響変換器を上記リスナの頭部に装着させる際、上記スピーカユニットを上記リスナの外耳道入口よりも前方に位置させると共に、上記リスナの外耳道入口よりも後方に位置させるための所定の後方用スピーカユニットが取り付けられた後方用筐体部を具える
ことを特徴とする請求項８に記載のイヤースピーカ装置。
【請求項１６】
上記装着部は、
上記筐体部に加え、上記リスナの頭部に振動を加えるための当該装着部に装着された所定の加振器を具える
ことを特徴とする請求項８に記載のイヤースピーカ装置。
【発明の詳細な説明】
【技術分野】
【０００１】
本発明は電気音響変換器及びイヤースピーカ装置に関し、例えば頭部装着型のウェアラブルスピーカ装置に適用して好適なものである。
【背景技術】
【０００２】
従来、頭部装着型のウェアラブルスピーカ装置の一例であるヘッドホン装置においては、リスナの頭部に装着された状態でＣＤ（Compact Disc）の再生音声等を表すオーディオ信号を音（以下、これを再生音と呼ぶ）に変換し、これを当該リスナに聴取させるようになされたものが広く普及している。
【０００３】
一般的なヘッドホン装置では、再生音を発生させるスピーカユニットがリスナの外耳道入口の正面付近に位置するようになされており、当該スピーカユニットから鼓膜に対して直接的に音を到達させることにより音質を向上し得るものの、音像をリスナの頭内に定位させることになり当該リスナに不自然な印象を与えてしまっていた。
【０００４】
このためヘッドホン装置の中には、スピーカユニットを外耳道入口（耳孔）からやや離隔させ前頭部側へ位置させることにより、一般的な据置型のスピーカを用いた場合のように音像を頭外に定位させることにより不自然感を払拭させると共に、リスナの耳の周囲に密閉空間を形成した密閉型とすることにより充分な低音を聴取させ得るよう考慮されたものが考案されている（例えば、特許文献１参照）。
【特許文献１】特許第３０５４２９５号明細書（第３頁、第１図）
【発明の開示】
【発明が解決しようとする課題】
【０００５】
ところで、かかる構成のヘッドホン装置に対して、充分な低音を含む良好な音質を維持しながら開放型とすることによりリスナに開放感を与えたいという要望があるものの、スピーカユニットが耳孔から離隔されているため、単純に密閉型を開放型としただけでは低音域が不足して音質を悪化させてしまい、かかる要望に応じ得ないという問題があった。
【０００６】
またヘッドホン装置は、開放型の場合、密閉型と比較して周囲への音漏れが大きくなってしまうという問題もあった。
【０００７】
本発明は以上の点を考慮してなされたもので、周囲への音漏れを低減しつつ自然な音像定位を与えながら高品質な再生音をリスナに聴取させ得る電気音響変換器及びイヤースピーカ装置を提案しようとするものである。
【課題を解決するための手段】
【０００８】
かかる課題を解決するため本発明においては、リスナの頭部の所定位置に装着された筐体部と、当該筐体部の一面に取り付けられ、筐体部がリスナの頭部に装着された際、リスナの外耳道入口との間に所定距離が設けられたスピーカユニットと、筐体部の内部空間に生じさせた音をリスナの外耳道入口近傍まで到達させるよう延長された管状ダクトと、筐体部を回転させることによりリスナの頭部側面と筐体部の一面とがなす角度を変化させる回転部とを設けるようにした。
【０００９】
これにより、筐体部によって生じさせた音を管状ダクトを介してリスナの外耳道入口近傍から外耳道内の鼓膜へ直接到達させることができるため、開放型として自然な音像定位を与えながら、充分なレベルの音を当該リスナに聴取させることができ、さらに筐体部を回転させることにより周囲への音漏れを低減することができる。
【発明の効果】
【００１０】
本発明によれば、筐体部によって生じさせた音を管状ダクトを介してリスナの外耳道入口近傍から外耳道内の鼓膜へ直接到達させることができるため、開放型として自然な音像定位を与えながら、充分なレベルの音を当該リスナに聴取させ得ると共に、筐体部を回転させることにより周囲への音漏れを低減し得る電気音響変換器及びイヤースピーカ装置を実現することができ、かくして周囲への音漏れを低減しつつ自然な音像定位を与えながら高品質な再生音をリスナに聴取させ得る電気音響変換器及びイヤースピーカ装置を実現できる。
【発明を実施するための最良の形態】
【００１１】
以下、図面について、本発明の一実施の形態を詳述する。
【００１２】
（１）イヤースピーカ装置の構成
（１−１）全体構成
図１及び図２において、イヤースピーカ装置１は、ポータブルＣＤ（Compact Disc）プレーヤやＤＭＰ（Digital Music Player）の再生処理等により生成されたオーディオ信号を再生音に変換し、これをリスナに聴取させるようになされている。
【００１３】
イヤースピーカ装置１は、一般的な箱形のスピーカ装置とは異なり、ヘッドホン装置と同様にリスナの頭部に装着されることを前提としており、大きく分けてオーディオ信号を再生音に変換する電気音響変換部２Ｌ及び２Ｒと、当該電気音響変換部２Ｌ及び２Ｒをリスナの頭部に装着して固定させるためのバンド部３とにより構成されている。
【００１４】
電気音響変換部２Ｌ及び２Ｒは、直方体の所定部分が丸められたような外形を有する筐体部４Ｌ及び４Ｒを中心に構成されている。筐体部４Ｌ及び４Ｒは、それぞれ後面側に平面状でなるバッフル面４ＦＬ及び４ＦＲが形成されており、左右内側において略円筒形状の固定部５Ｌ及び５Ｒをそれぞれ上下から挟むようになされている。また固定部５Ｌ及び５Ｒは、バンド部３のアジャスト部３ＢＬ及び３ＢＲにそれぞれ取り付けられている。
【００１５】
筐体部４Ｌ及び４Ｒの後面側に形成されたほぼ平坦なバッフル面４ＦＬ及び４ＦＲには、オーディオ信号を再生音に変換するスピーカユニット７Ｌ及び７Ｒが取り付けられている。このスピーカユニット７Ｌ及び７Ｒは、ポータブルＣＤプレーヤやＤＭＰ等から接続ケーブル６を介して供給されるオーディオ信号に応じて、振動板を振動させることにより放音するようになされている。
【００１６】
また固定部５Ｌ及び５Ｒの後側には、金属製でなり、所定太さを有する中空の部材が側面略Ｕ字状に曲げられた管状ダクト８Ｌ及び８Ｒが取り付けられている。この管状ダクト８Ｌ及び８Ｒは、図１に示したように、外端部がそれぞれ左右内側方向に曲げられており、さらに後側先端部のほぼ中央にそれぞれ孔部８ＡＬ及び８ＡＲが設けられている。
【００１７】
バンド部３は、中央部３Ａを中心に一般的な人間の頭部の形状に合わせて上に凸の略アーチ型に形成されていると共に、当該中央部３Ａに対して伸縮自在に摺動し得るアジャスト部３ＢＬ及び３ＢＲによりバンド部３全体の長さを調整し得るようになされている。
【００１８】
またバンド部３は、一般的な人間の頭部の形状よりも小さい径のアーチ型に形成されていると共に弾性力を有しており、リスナに装着される際に筐体部４Ｌ及び４Ｒを左右に広げながら装着されると、装着後に当該弾性力の作用によって元の形状に戻ろうとするため、アジャスト部３ＢＬ及び３ＢＲ並びに固定部５Ｌ及び５Ｒを介して、筐体部４Ｌ及び４Ｒを当該リスナの頭部に対して当接させた状態で保持させるようになされている。
【００１９】
なお、イヤースピーカ装置１は、図１及び図２に示したようにほぼ左右対称に構成されているため、以下では主に左側の電気音響変換部２Ｌを例に説明する。
【００２０】
（１−２）電気音響変換部の構成
電気音響変換部２Ｌの筐体部４Ｌは、図３に示すように、大きく分けて中央部４ＡＬ、上底部４ＢＬ及び下底部４ＣＬにより構成されている。中央部４ＡＬは、全体として楕円柱を上下方向に貫通するよう中空にしたような形状を有しており、さらに固定部５の形状に合わせて側面が一部くぼんでいる。
【００２１】
また中央部４Ａの一側面は、ほぼ平坦に形成されたバッフル面４ＦＬとなっており、当該バッフル面４ＦＬのほぼ中央位置にスピーカユニット７Ｌが取り付けられている。
【００２２】
上底部４ＢＬ及び下底部４ＣＬは、互いにほぼ上下対称の形状を有しており、中央部４ＡＬ及び固定部５Ｌに合わせて上下から挟み込むような形状を有している。また上底部４ＢＬ及び下底部４ＣＬは、中空に形成され、中央部４ＡＬとの接合面において当該中央部４ＡＬの形状に合わせて開口されている。
【００２３】
このため筐体部４Ｌは、上底部４ＢＬ及び下底部４ＣＬにより中央部４ＡＬを上下から挟み込むように一体化されることにより、内部にほぼ密閉された空間を形成し、スピーカユニット７Ｌのキャビネットとして機能するようになされている。
【００２４】
さらに上底部４ＢＬには、固定部５と当接する箇所に、中心部分を上下方向に貫通された中空の軸部４ＢＸＬが設けられている。この軸部４ＢＸＬは、外径が固定部５Ｌの内径よりも僅かに小さくなるようになされ、且つ中心部分の空間が上底部４ＢＬ内の空間と繋がるようになされている。同様に下底部４ＣＬにも、上底部４ＢＬと同様且つ上下対称な軸部４ＣＸＬが設けられている。
【００２５】
一方、固定部５Ｌは、全体として中空の筒状に形成されており、上下に貫通した孔部５ＡＬを有すると共に、上述したようにアジャスト部３ＢＬに取付固定されている。また固定部５Ｌの後側には、上述した管状ダクト８Ｌが取り付けられており、孔部５ＡＬ内の空間と当該管状ダクト８Ｌ内の空間とが繋げられている。
【００２６】
実際上筐体部４Ｌは、軸部４ＢＸＬ及び４ＣＸＬが固定部５Ｌの孔部５ＡＬに上下からそれぞれ挿入され組み立てられることにより、当該軸部４ＢＸＬ及び４ＣＸＬを介して当該筐体部４Ｌ内の空間と固定部５Ｌの孔部５ＡＬ内の空間とが繋げられるようになされている。
【００２７】
すなわち電気音響変換部２Ｌは、軸部４ＢＸＬ及び４ＣＸＬ、固定部５Ｌにおける孔部５ＡＬの空間、並びに管状ダクト８Ｌ内の空間を介して孔部８ＡＬまでを２系統の連続した空間とすることができる。実際上、電気音響変換部２Ｌは、これらの一連の空間をそれぞれ音響的な共振回路として、すなわちスピーカユニット７Ｌにおける２本のバスレフダクトとして作用させるようになされている（以下、この一連の空間をそれぞれダクト空間と呼ぶ）。
【００２８】
また軸部４ＢＸＬ及び４ＣＸＬは、断面が円形に形成されていることから、固定部５Ｌに対する回転軸としても作用し、これにより筐体部４Ｌ全体を回転させ得るようにもなされている。
【００２９】
すなわち電気音響変換部２Ｌは、図４に破線で示すようにバッフル面４ＦＬ及びスピーカユニット７Ｌをほぼ後方向に向けた状態（以下、これを開状態と呼ぶ）において、筐体部４Ｌが固定部５Ｌに対して回転されることにより、図４に実線で示すように当該バッフル面４ＦＬ及び当該スピーカユニット７Ｌを斜め後方内側へ向けた状態（以下、これを閉状態と呼ぶ）等に自在に変化し得るようになされている。
【００３０】
このとき電気音響変換部２Ｌは、アジャスト部３ＢＬに固定された固定部５に管状ダクト８Ｌが取り付けられているため、当該管状ダクト８Ｌを回転させず維持する。また電気音響変換部２Ｌは、軸部４ＢＸＬ及び４ＣＸＬ並びに固定部５Ｌ等の構造により、一連のダクト空間の繋がりを保持したままバッフル面４ＦＬの角度を変化させることができる。
【００３１】
このように電気音響変換部２Ｌは、固定部５Ｌに対して筐体部４Ｌを自在に回転させ開状態又は閉状態に変化し得ると共に、いずれの状態においても、当該筐体部４Ｌの軸部４ＢＸＬ及び４ＣＸＬ、固定部５Ｌにおける孔部５ＡＬ内の空間、並びに管状ダクト８Ｌ内の空間を介して孔部８ＡＬまでの一連のダクト空間によりバスレフダクトを形成し得るようになされている。
【００３２】
因みに右側の電気音響変換部２Ｒは、当該電気音響変換部２Ｌとほぼ左右対称に構成されており、固定部５Ｒに対して筐体部４Ｒを自在に回転させ開状態又は閉状態に変化し得ると共に、当該筐体部４Ｒの軸部４ＢＸＲ及び４ＣＸＲ（図示せず）、固定部５Ｒにおける孔部５ＡＲ（図示せず）内の空間、並びに管状ダクト８Ｒ内の空間を介して孔部８ＡＲまでの一連のダクト空間によりバスレフダクトを形成し得るようになされている。
【００３３】
（２）イヤースピーカ装置の装着
実際上、イヤースピーカ装置１は、図５の左側面図に示すように、バンド部３における長さが調整された上でリスナの頭部１００に装着されることにより、アジャスト部３ＢＬの下端側に取り付けられた電気音響変換部２Ｌをリスナの頭部における耳介１０１Ｌよりもやや前方に位置させるようになされている。
【００３４】
これによりイヤースピーカ装置１の電気音響変換部２Ｌは、スピーカユニット７Ｌから放射された中高音を直接リスナの外耳道内部へ到達させると共に、当該リスナの頬や耳介１０１Ｌ等で反射された反射音も外耳道内部へ到達させることができるため、一般的な据置型スピーカを介して聴取した場合と同様の、自然な音像定位を与え得るようになされている。
【００３５】
またイヤースピーカ装置１は、リスナに対して正常に装着された際、図５におけるＱ１−Ｑ２断面を図６に示すように、スピーカユニット７Ｌが耳介１０１Ｌ及び外耳道入口１０２Ｌのやや前方に位置し、管状ダクト８Ｌの孔部８ＡＬが外耳道入口１０２Ｌの近傍に位置するようになされている。
【００３６】
因みに管状ダクト８Ｌは、その先端が略Ｕ字状に形成されているため（図５）、リスナの外耳道内へ入り込まないようになされている。これによりイヤースピーカ装置１は、当該リスナがイヤースピーカ装置１の装着時等に、誤って管状ダクト８Ｌにより当該外耳道内を傷つけてしまうことを未然に防止し得るようになされている。
【００３７】
ところで、一般的なバスレフ型スピーカでは、ダクトが筐体の内部のみに設けられ、外部へは延長しないようになされている。そこで、電気音響変換部２Ｌとの比較用に、図６の対応部分に同一符号を付した図７に示すような電気音響変換部１２Ｌを想定する。
【００３８】
この電気音響変換部１２Ｌ（図７）は、筐体部４Ｌと類似した形状でなる筐体部１４Ｌを中心として一般的なバスレフ型スピーカと同様に構成されており、電気音響変換部２Ｌの管状ダクト８Ｌ（図６）に代えて、筐体部１４Ｌの内側のみに２本の管状ダクト１８Ｌ及び１９Ｌを有している。
【００３９】
この電気音響変換部１２Ｌの場合、スピーカユニット７Ｌの位置を仮想的な音源の位置（以下、これを仮想音源位置と呼ぶ）ＰＭと見なしたときの、当該スピーカユニット７Ｌから放射された中高音がリスナの鼓膜１０３Ｌに到達するまでの経路長ＥＭと、孔部１８ＡＬ及び１９ＡＬを仮想音源位置ＰＬ２と見なしたときの、管状ダクト１８Ｌ内及び１９Ｌ内を伝わり当該孔部１８ＡＬ及び１９ＡＬから放射された低音がリスナの鼓膜１０３Ｌに到達するまでの経路長ＥＬ２とを比較すると、経路長ＥＭ≒経路長ＥＬ２となっている。
【００４０】
ここで、電気音響変換部１２Ｌにより鼓膜１０３Ｌに到達する音の周波数特性を図８に示す。この図８に示すように、一般的なバスレフ型の電気音響変換部１２Ｌは、スピーカユニット７Ｌから放射される、特性曲線ＳＭに示すような周波数特性でなる中高音と、管状ダクト１８Ｌ内及び１９Ｌ内を伝わり孔部１８ＡＬ及び１９ＡＬから放射される、特性曲線ＳＬ２に示すような周波数特性でなる低音とを合わせてリスナの鼓膜１０３Ｌまで到達させることになる。
【００４１】
これにより電気音響変換部１２Ｌは、特性曲線ＳＭ及び特性曲線ＳＬ２が合成された特性曲線ＳＧ２に示すように、特性曲線ＳＭにおける低音域の音圧レベルがある程度上昇された再生音をリスナに聴取させることができる。
【００４２】
一方、本発明による電気音響変換部２Ｌ（図６）では、スピーカユニット７Ｌを仮想音源位置ＰＭとみなしたときの、当該スピーカユニット７Ｌから放射された中高音がリスナの鼓膜１０３Ｌに到達するまでの経路長ＥＭと、孔部８ＡＬを仮想音源位置ＰＬ１と見なしたときの、管状ダクト８Ｌ内を伝わり当該孔部８ＡＬから放射された低音がリスナの鼓膜１０３Ｌに到達するまでの経路長ＥＬ１とを比較すると、経路長ＥＭ＞経路長ＥＬ１となっている。
【００４３】
ここで、電気音響変換部２Ｌにより鼓膜１０３Ｌに到達する音の周波数特性を図９に示す。電気音響変換部２Ｌは、上述したようにバスレフ型スピーカの一種であるため、図８に示した場合と同様、スピーカユニット７Ｌから放射される、特性曲線ＳＭに示すような周波数特性でなる中高音と、管状ダクト８Ｌを伝わり孔部８ＡＬから放射される、特性曲線ＳＬ１に示すような周波数特性でなる低音とを合わせてリスナの鼓膜１０３Ｌまで到達させることになる。
【００４４】
ところで、一般に音源からの距離と音圧レベルとは反比例の関係にある。ここで電気音響変換部２Ｌ（図６）と電気音響変換部１２Ｌ（図７）との経路長を比較すると、経路長ＥＬ１＜経路長ＥＬ２の関係となる。
【００４５】
すなわち電気音響変換部２Ｌ（図６）は、仮想音源位置ＰＬ１が電気音響変換部１２Ｌ（図７）の仮想音源位置ＰＬ２よりもリスナの外耳道入口１０２Ｌ近傍に位置しているため、管状ダクト８Ｌ内を伝わり孔部８ＡＬ（仮想音源位置ＰＬ１）から放射される低音を、電気音響変換部１２Ｌの場合よりも高い音圧レベルで鼓膜１０３Ｌまで到達させ得るようになされている。
【００４６】
すなわち、２つの特性曲線ＳＬ１及びＳＬ２を重ねた図１０に示すように、管状ダクト８Ｌによる低音の特性曲線ＳＬ１は、経路長ＥＬ１＜経路長ＥＬ２の関係により、管状ダクト１８Ｌ及び１９Ｌによる低音の特性曲線ＳＬ２と比較して全体的な音圧レベルが高くなる。
【００４７】
この結果、電気音響変換部２Ｌは、特性曲線ＳＭ及び特性曲線ＳＬ１が合成された特性曲線ＳＧ１に示すように、特性曲線ＳＭにおける低音域の音圧レベルが電気音響変換部１２Ｌの場合（特性曲線ＳＧ２）よりも上昇された、比較的低い周波数帯まで十分な音圧レベルの再生音をリスナに聴取させ得るようになされている。
【００４８】
ここで特性曲線ＳＧ１と特性曲線ＳＧ２とを比較すると、特性曲線ＳＧ２では低音域側へ進むに連れて比較的急峻に音圧レベルが低下しているのに対して、特性曲線ＳＧ１では低音域側へ進むに連れて音圧レベルの低下度合いが緩やかになっていることが分かる。
【００４９】
すなわち電気音響変換部２Ｌは、電気音響変換部１２Ｌと比較して、広い周波数帯域に渡って高い音圧レベルでなる、すなわち充分な低音域が含まれる良好な再生音をリスナの鼓膜１０３に伝達して聴取させ得るようになされている。
【００５０】
この場合、電気音響変換部２Ｌは、図５及び図６に示したように、リスナの外耳道入口１０２Ｌの近傍に管状ダクト８Ｌの外端部を位置させるものの、当該外耳道入口１０２Ｌを完全には閉塞しない。
【００５１】
このため電気音響変換部２Ｌは、スピーカユニット７Ｌから放射する中高音及び管状ダクト８Ｌの孔部８ＡＬから放射する低音を合わせた再生音に加えて、リスナの周囲で発生した音（以下これを周囲音と呼ぶ）を遮断することなく当該リスナの鼓膜１０３Ｌまで到達させ聴取させ得るようになされている。
【００５２】
因みに電気音響変換部２Ｌは、筐体部４Ｌの内容積が１０［ｍｌ］、スピーカユニット７Ｌの外径が２１［ｍｍ］、当該スピーカユニット７Ｌの振動板における有効振動半径が８．５［ｍｍ］、振動系の等価質量が０．２［ｇ］、最低共振周波数ｆ０が３６０［Ｈｚ］、共振のＱ０が１．０とされている。
【００５３】
また管状ダクト８Ｌは、内径が１．８［ｍｍ］、当該管状ダクト８Ｌの筐体部４Ｌ内に位置する内部端８ＢＬから孔部８ＡＬまでの有効長が５０［ｍｍ］、バッフル板４ＡＬの表面から孔部８ＡＬまでの距離が約３５［ｍｍ］とされている。
【００５４】
ここで管状ダクト８Ｌは、その側面がＵ字状に形成され、外端部の中央に孔部８ＡＬが設けられているため、実質的に上半分及び下半分による２本のバスレフダクトを構成しているのと同じであり、当該管状ダクト８Ｌを１本の管状ダクトに換算した場合の内径（この場合は約２．５［ｍｍ］に相当する）が考慮された上で、その内径及び有効長が決定されている。
【００５５】
すなわち管状ダクト８Ｌは、側面Ｕ字状に形成されたことにより、１本の管状ダクトとした場合に比べてその有効長を短く設定し得ると共に、デザイン性及び安全性を大きく向上させ得るようになされている。
【００５６】
この電気音響変換部２Ｌ（図６）及び電気音響変換部１２Ｌ（図７）について、人間の耳介及び外耳道を模した測定用治具を用いて実際の周波数特性を測定したところ、図１１に示すような特性曲線ＳＧ１１（電気音響変換部２Ｌの場合）及び特性曲線ＳＧ１２（電気音響変換部１２Ｌの場合）が得られた。
【００５７】
この図１１では、図１０に示した理論的な周波数特性と同様、およそ５００［Ｈｚ］以下の低音域において、電気音響変換部２Ｌの特性曲線ＳＧ１１が電気音響変換部１２Ｌの特性曲線ＳＧ１２よりも高い音圧レベルとなっている。すなわち、実際に電気音響変換部２Ｌがリスナに対して充分な低音を含む良好な再生音を聴取させ得ることが示されている。
【００５８】
このようにイヤースピーカ装置１は、リスナの頭部１００に装着された際、スピーカユニット７Ｌをリスナの外耳道入口１０２Ｌからやや離れた場所に位置させ、そのスピーカユニット７Ｌから再生音の中高音を放射すると共に、筐体部４Ｌから当該外耳道入口１０２Ｌの近傍まで延長されバスレフダクトとして作用する管状ダクト８Ｌの孔部８ＡＬから再生音の低音を放射することにより、自然な音像定位を与えながら充分な低音を含む良好な再生音を当該リスナに聴取させ得るようになされている。
【００５９】
（３）音漏れの低減
（３−１）筐体部の回転による音漏れの低減
ところでイヤースピーカ装置１は、いわゆる開放型であるため、密閉型のヘッドホン装置等と比較して周囲への音漏れが大きくなってしまう。
【００６０】
ここで、イヤースピーカ装置１がリスナの頭部１００に装着され、電気音響変換部２Ｌが開状態（図１、図２及び図６等）であるときの、当該リスナの側面及び正面における音漏れの測定結果を図１２（Ａ）及び（Ｂ）に示す。
【００６１】
この図１２（Ａ）及び（Ｂ）より、イヤースピーカ装置１は、リスナの頭部１００における前面及び側面の双方において、低域（約５００［Ｈｚ］未満）ではほとんど音漏れを生じておらず、中高域（約５００〜約２０ｋ［Ｈｚ］）では、約４ｋ〜５ｋ［Ｈｚ］をピークとしてある程度の音漏れを生じていることがわかる。
【００６２】
またイヤースピーカ装置１では、リスナの頭部１００における前面（すなわちスピーカユニット７Ｌの放音面の反対面）よりも、側面（すなわちスピーカユニット７Ｌの放音面に対する側面）の方が、音漏れの音量レベルが大きいことがわかる。
【００６３】
このことは、一般に、音が周波数に応じて異なる指向性を有しており、また音の放射方向からの角度が変化するに連れて音量レベルが低下する性質を有していることとも合致する。
【００６４】
これを換言すれば、イヤースピーカ装置１の電気音響変換部２Ｌは、スピーカユニット７Ｌの放音方向を基準とした音漏れの分布特性を有していることになる。
【００６５】
そこでイヤースピーカ装置１は、図４に示したように、固定部５Ｌに対して筐体部４Ｌを回転させた閉状態とし、スピーカユニット７Ｌの放音面、すなわち最も音漏れが大きい方向を内側へ向け得るようになされている。このとき管状ダクト８Ｌは、固定部５Ｌに取り付けられているため、筐体部４Ｌの回転状態に拘わらず、孔部８ＡＬが外耳道入口１０２Ｌの近傍に位置した状態を維持することになる。
【００６６】
これによりイヤースピーカ装置１は、周囲への音漏れの分布特性を変化させ、全体として音漏れの低減を図ることができる。
【００６７】
ここで図６と対応する図１３に示すように、イヤースピーカ装置１の電気音響変換部２Ｌでは、この閉状態におけるスピーカユニット７Ｌの位置を仮想音源位置ＰＭ２とみなしたときの、当該スピーカユニット７Ｌから放射された中高音がリスナの鼓膜１０３Ｌに到達するまでの経路長ＥＭ２が、開状態における経路長ＥＭ（図６）よりも短くなっている。
【００６８】
この閉状態（図１３）の場合、イヤースピーカ装置１を装着したリスナは、開状態（図６）の場合と同等の音量レベルでなる音声信号が入力されていると、経路長ＥＭ＞経路長ＥＭ２の関係から、中高音の音量レベルが大きすぎると感じる可能性が高い。
【００６９】
そこでリスナは、イヤースピーカ装置１が接続されているアンプ等の出力音量レベルを低下させることにより、鼓膜１０３Ｌに到達する中高音の音量レベルを開状態の場合と同等に、すなわち適正な音量レベルに調整することができる。
【００７０】
このときイヤースピーカ装置１は、スピーカユニット７Ｌから放射される中高音の音量レベルが低減されることから、結果的に周囲への音漏れも低減させることができる。
【００７１】
（３−２）周波数特性の調整による音漏れの低減
ところで、人間の聴覚特性として、４ｋ［Ｈｚ］付近の周波数帯域における音漏れが特に敏感に知覚される、すなわち「耳障りな音」として認識されることが知られている。
【００７２】
そこでイヤースピーカ装置１は、上述したように固定部５Ｌに対して筐体部４Ｌを回転させ閉状態とすることにより周囲への音漏れを低減する以外にも、再生する音の周波数特性を調整することにより音漏れを低減し得るようにもなされている。
【００７３】
実際上、イヤースピーカ装置１の電気音響変換部２Ｌは、図１４に示すような回路構成でなる周波数特性調整回路としての音漏れ低減回路９を内蔵している。この音漏れ低減回路９は、大きく分けて帯域フィルタ部９ＡＬ、増幅器９ＢＬ、整流平滑部９ＣＬ及びインピーダンス調整部９ＤＬにより構成されている。
【００７４】
因みに音漏れ低減回路９は、本願発明と同一発明者且つ同一出願人による特許文献２に記載の回路とほぼ同様の構成となされている。
【特許文献２】特許第２８９７３１６号公報（第１図）
【００７５】
帯域フィルタ部９ＡＬは、抵抗Ｒ１、Ｒ２及びＲ３並びにコンデンサＣ１、Ｃ２及びＣ３の組み合わせにより、２組のＣＲフィルタによる、所謂ツインＴ回路を構成しており、外部から供給される音声信号Ｓ１を基に音声信号Ｓ２を生成するようになされている。
【００７６】
増幅器９ＢＬは、音声信号Ｓ２を増幅して音声信号Ｓ３とし、これをスピーカユニット７Ｌ及び整流平滑部９ＣＬへ供給する。
【００７７】
整流平滑部９ＣＬは、スピーカユニット７Ｌの両端子と並列に接続されており、抵抗Ｒ４、Ｒ５及びＲ６、コンデンサＣ４、Ｃ５及びＣ６、並びにダイオードＤ１及びＤ２の組み合わせにより構成されている。整流平滑部９ＣＬは、音声信号Ｓ３を整流すると共に平滑化することにより制御信号Ｓ４を生成し、これをインピーダンス調整部９ＤＬへ供給する。
【００７８】
インピーダンス調整部９ＤＬは、抵抗Ｒ７を介して制御信号Ｒ４をトランジスタＱ１のベース端子に供給する。当該トランジスタＱ１のコレクタ端子は、帯域フィルタ部９ＡＬに接続され、またトランジスタＱ１のエミッタ端子は、抵抗Ｒ８を介してグランドに接続されている。この回路構成により、インピーダンス調整部９ＤＬは、全体として制御信号Ｓ４の電圧に応じてインピーダンスを変化させる可変インピーダンス回路として動作することになる。
【００７９】
実際上、整流平滑部９ＣＬでは、音声信号Ｓ３のグランドに対する電位がダイオードＤ１の動作電圧である約０．７［Ｖ］以下の場合、当該ダイオードＤ１が非動作状態となり、制御信号Ｓ４をほぼ０［Ｖ］とする。このときインピーダンス調整部９ＤＬは、トランジスタＱ１がオープン状態となるため、帯域フィルタ部９ＡＬをＣＲフィルタとしては作用させないことになる。
【００８０】
一方、整流平滑部９ＣＬは、音声信号Ｓ３のグランドに対する電位がダイオードＤ１の動作電圧である約０．７［Ｖ］を超える場合、音声信号Ｓ１音量レベルに応じた電位を示す制御信号Ｓ４を生成し、インピーダンス調整部９ＤＬへ供給する。
【００８１】
このときインピーダンス調整部９ＤＬは、制御信号Ｒ４に応じてトランジスタＱ１によりインピーダンスを変化させ、帯域フィルタ部９ＡＬを制御信号Ｒ４に応じた減衰量のＣＲフィルタとして作用させることになる。これに応じて帯域フィルタ部９ＡＬは、音声信号Ｓ１に対して所望の周波数帯域（例えば４ｋ［Ｈｚ］付近）のみ音量レベルを低減することにより、音声信号Ｓ２を生成する。
【００８２】
すなわち音漏れ低減回路９は、スピーカユニット７Ｌに供給する音声信号Ｓ３を基に帯域フィルタ部９ＡＬにおける所望周波数帯域の減衰幅をフィードバック制御することになる。
【００８３】
これによりインピーダンス調整部９ＤＬは、帯域フィルタ部９ＡＬにおける所望周波数帯域に対する音量レベルの減衰幅を調整することができ、制御信号Ｓ４が大きい、すなわち音声信号Ｓ１が示す音量レベルが大きいほど、当該減衰幅を大きくすることができる。
【００８４】
ここで、音声信号Ｓ１の音量レベルを段階的に変化させたときにおける当該音声信号Ｓ１及び音声信号Ｓ３の周波数特性を、それぞれ図１５に特性曲線Ｕ１ａ〜Ｕ１ｅ（破線）及び特性曲線Ｕ３ａ〜Ｕ３ｅ（実線）として示す。
【００８５】
この図１５に示すように、音声信号Ｓ１の音量レベルが約１０［ｄＢ］の場合、特性曲線Ｕ１ａ及びＵ３ａを比較すると、音漏れ低減回路１０は、音声信号Ｓ１のうち４ｋ［Ｈｚ］付近を殆ど減衰させることなく音声信号Ｓ３としている。
【００８６】
一方、音漏れ低減回路９は、図１５に特性曲線Ｕ１ｂ〜Ｕ１ｅ並びにＵ３ｂ〜Ｕ３ｅに示したように、当該音声信号Ｓ１の音量レベルが約１５［ｄＢ］、約２０［ｄＢ］、約２８［ｄＢ］、約３４［ｄＢ］と上がっていくに連れて、当該音声信号Ｓ３の４ｋ［Ｈｚ］付近における減衰幅を大きくしていき、約１０［ｄＢ］のときと同程度の音量レベルに抑えることができる。
【００８７】
因みに音漏れ低減回路９は、リスナにより図示しないスイッチが切り換えられることによって、動作するか否か、すなわち音声信号Ｓ３の４ｋ［Ｈｚ］付近を減衰させるか否かを切り換え得るようにもなされている。
【００８８】
このように音漏れ低減回路９は、スピーカユニット７Ｌから放射され周囲に漏れる音のうち、人間にとって耳障りと感じやすい４ｋ［Ｈｚ］付近の周波数帯域における音を、そのときの音量レベルに応じて減衰させ得るようになされている。
【００８９】
（４）他のイヤースピーカ装置の構成例
ところでイヤースピーカ装置１は、図１、図２及び図５に示したように、装着部としてのバンド部３により電気音響変換部２Ｌ及び２Ｒをリスナの頭部１００に装着するようになされているが、このバンド部３に代えて他の種々の装着部を用いることにより電気音響変換部２Ｌ及び２Ｒをリスナの頭部１００に装着するようにしても良い。
【００９０】
なお、以下では、上述したイヤースピーカ装置１の場合と同様、主に左側の電気音響変換部２Ｌを例に説明するが、右側の電気音響変換部２Ｒについては、当該左側の電気音響変換部２Ｌと左右対称に構成されているものとする。
【００９１】
例えば図１６に示すイヤースピーカ装置２０は、いわゆるイヤークリップ型として構成されており、イヤースピーカ装置１（図１、図２及び図５）におけるバンド部３に代えて、リスナの耳介１０１Ｌに引っ掛けるためのイヤークリップ２１Ｌに固定部５Ｌを介して電気音響変換部２Ｌが取り付けられている。また電気音響変換部２Ｌは、イヤースピーカ装置１の場合と同様、当該固定部５Ｌに対して筐体部４Ｌを自在に回転し得るようになされている。
【００９２】
このイヤースピーカ装置２０は、イヤークリップ２１Ｌがリスナの耳介１０１Ｌに引っ掛けられることにより電気音響変換部２Ｌをリスナの頭部１００に装着することができ、イヤースピーカ装置１と同様、自然な音像定位を与えながら充分な低音を含む良好な再生音を当該リスナに聴取させ得るようになされている。またイヤースピーカ装置２０は、図１６に示した開状態から筐体部４Ｌを回転させ閉状態とすることにより、周囲への音漏れを低減し得るようにもなされている。
【００９３】
また図１７に示すイヤースピーカ装置３０は、所謂アンダーチン型として構成されており、イヤースピーカ装置１（図１、図２及び図５）におけるバンド部３に代えて、固定部５Ｌ及び５Ｒを介して左右の電気音響変換部２Ｌ及び２Ｒを接続すると共にリスナの耳介１０１Ｌに引っ掛けるためのバンド部３１を有している。バンド部３１の中央部３１Ａは、下に凸の略アーチ状に形成され、リスナの顎の下を通って左右に渡されることを前提としている。また電気音響変換部２Ｌは、イヤースピーカ装置１の場合と同様、固定部５Ｌに対して筐体部４Ｌを自在に回転し得るようになされている。
【００９４】
このイヤースピーカ装置３０（図１７）は、バンド部３１の耳掛部３１ＢＬがリスナの耳介１０１Ｌに引っ掛けられることにより電気音響変換部２Ｌをリスナの頭部１００に装着することができ、イヤースピーカ装置１と同様、自然な音像定位を与えながら充分な低音を含む良好な再生音を当該リスナに聴取させ得るようになされている。またイヤースピーカ装置３０は、図１７に示した開状態から筐体部４Ｌを回転させ閉状態とすることにより、周囲への音漏れを低減し得るようにもなされている。
【００９５】
さらに図１８に示すイヤースピーカ装置４０は、所謂ショルダーホールド型として構成されており、イヤースピーカ装置１（図１、図２及び図５）におけるバンド部３に代えて、固定部５Ｌ及び５Ｒを介して左右の電気音響変換部２Ｌ及び２Ｒを接続すると共にリスナの肩部から支持するショルダーアーム４１を有している。このショルダーアーム４１の中央部４１Ａは、後ろに凸の略アーチ状に形成され、リスナの首の後ろから肩の上部に引っ掛けて左右に渡されることを前提としている。また電気音響変換部２Ｌは、イヤースピーカ装置１の場合と同様、固定部５Ｌに対して筐体部４Ｌを自在に回転し得るようになされている。
【００９６】
このイヤースピーカ装置４０（図１８）は、リスナの両肩に渡って引っ掛けられることにより電気音響変換部２Ｌをリスナの頭部１００に装着することができ、イヤースピーカ装置１と同様、自然な音像定位を与えながら充分な低音を含む良好な再生音を当該リスナに聴取させ得るようになされている。またイヤースピーカ装置４０は、図１８に示した開状態から筐体部４Ｌを回転させ閉状態とすることにより、周囲への音漏れを低減し得るようにもなされている。
【００９７】
さらに図１９に示すイヤースピーカ装置５０は、所謂ネックバンド型として構成されており、イヤースピーカ装置１（図１、図２及び図５）におけるバンド部３に代えて、固定部５Ｌ及び５Ｒを介して左右の電気音響変換部２Ｌ及び２Ｒを接続すると共にリスナの耳介１０１Ｌに掛けるためのバンド部５１が筐体部４Ｌに取り付けられている。このバンド部５１の中央部５１Ａは、後ろに凸の略アーチ状に形成され、リスナの後頭部の後ろ側で渡されることを前提としている。また電気音響変換部２Ｌは、イヤースピーカ装置１の場合と同様、固定部５Ｌに対して筐体部４Ｌを自在に回転し得るようになされている。
【００９８】
このイヤースピーカ装置５０（図１９）は、バンド部５１の耳掛部５１ＢＬがリスナの耳介１０１Ｌに引っ掛けられることにより電気音響変換部２Ｌをリスナの頭部１００に装着することができ、イヤースピーカ装置１と同様、自然な音像定位を与えながら充分な低音を含む良好な再生音を当該リスナに聴取させ得るようになされている。またイヤースピーカ装置５０は、図１９に示した開状態から筐体部４Ｌを回転させ閉状態とすることにより、周囲への音漏れを低減し得るようにもなされている。
【００９９】
さらに図２０に示すイヤースピーカ装置７０は、電気音響変換部２Ｌに加えて、リスナの耳介１０１よりも後方に位置させた後方電気音響変換部７２Ｌを有しており、イヤースピーカ装置１（図１、図２及び図５）におけるバンド部３に代わるバンド部７１により、固定部５Ｌを介して電気音響変換部２Ｌを耳介１０１Ｌの前方に位置させると共に、固定部５Ｌを介して後方電気音響変換部７２Ｌを当該耳介１０１Ｌの後方に位置させるようになされている。また電気音響変換部２Ｌ及び７２Ｌは、イヤースピーカ装置１の場合と同様、固定部５Ｌに対して筐体部４Ｌをそれぞれ自在に回転し得るようになされている。
【０１００】
因みに、後方電気音響変換部７２Ｌには、４チャンネルや５．１チャンネル等のマルチチャンネル音源におけるリアチャンネル用の音声信号が供給されるようになされている。
【０１０１】
このイヤースピーカ装置７０（図２０）は、リスナの頭部１００に装着されることにより、電気音響変換部２Ｌ及び後方電気音響変換部７２Ｌを当該リスナの頭部１００に装着することができ、電気音響変換部２Ｌ及び後方電気音響変換部７２Ｌの間に耳介１０１Ｌを挟み込んだ状態で、自然な音像定位を与えながら、サラウンド音でなり充分な低音を含む良好な再生音を当該リスナに聴取させ得るようになされている。またイヤースピーカ装置７０は、図２０に示した開状態から前後の筐体部４Ｌをそれぞれ回転させ閉状態とすることにより、周囲への音漏れを低減し得るようにもなされている。
【０１０２】
またこの場合、イヤースピーカ装置７０（図２０）では、バンド部７１に加振器７５を取り付け、例えば５．１チャンネル音源における重低音成分に応じた振動をリスナの頭部１００に加えるようにしても良い。
【０１０３】
なおイヤースピーカ装置７０（図２０）は、電気音響変換部２Ｌから管状ダクト８Ｌをリスナの外耳道入口１０２Ｌ近傍まで延長する以外にも、後方用電気音響変換部７２Ｌから管状ダクトをリスナの外耳道入口１０２Ｌ近傍まで延長するようにしたり、或いは電気音響変換部２Ｌ及び後方用電気音響変換部７２Ｌの両方から管状ダクトをリスナの外耳道入口１０２Ｌ近傍まで延長するようにしても良い。
【０１０４】
このように本発明では、イヤースピーカ装置１のバンド部３（図１、図２及び図５）以外にも、イヤースピーカ装置２０〜７０（図１６〜図２０）のような種々の方式でなる装着部により、電気音響変換部２Ｌ及び２Ｒをリスナの頭部１００に対して装着させるようにしても良い。
【０１０５】
（５）動作及び効果
以上の構成において、イヤースピーカ装置１は、リスナの頭部１００に装着されることにより、電気音響変換部２Ｌの筐体部４Ｌに設けられたスピーカユニット７Ｌを当該リスナの外耳道入口１０２Ｌよりもやや前方に位置させると共に、当該筐体部４Ｌから後方に延長されバスレフダクトとして作用する管状ダクト８Ｌの先端部分を外耳道入口１０２Ｌの近傍に位置させた状態で、所定のアンプから供給される音声信号に基づいた再生音を出力する。
【０１０６】
このときイヤースピーカ装置１の電気音響変換部２Ｌ（図６）では、スピーカユニット７Ｌから放射される中高音がリスナの鼓膜１０３Ｌに到達するまでの経路長ＥＭよりも、管状ダクト８Ｌの孔部８ＡＬから放射される低音が当該鼓膜１０３Ｌに到達するまでの経路長ＥＬ１を短くすることができるため、特性曲線ＳＭ（図９）に示したような中高音に対して、特性曲線ＳＬ１に示したように比較的音圧レベルが高い低音を当該鼓膜１０３Ｌに到達させることができる。
【０１０７】
従ってイヤースピーカ装置１の電気音響変換部２Ｌは、スピーカユニット７Ｌから放射された中高音を当該リスナの頬や耳介１０１Ｌ等で反射させて鼓膜１０３Ｌに到達させることができるので、一般的なスピーカを介して再生音を聴取する場合と似た特性の再生音を当該リスナに聴取させることができ、音像が頭外に位置しているような自然な定位感を与えることができる。
【０１０８】
さらにイヤースピーカ装置１の電気音響変換部２Ｌは、管状ダクト８Ｌがリスナの外耳道入口１０２Ｌ近傍まで延長されていることにより、特性曲線ＳＧ１（図１０）及び特性曲線ＳＧ１１（図１１）に示したような、低音域まで比較的充分な音圧レベルでなる良好な再生音をリスナに聴取させることができる。
【０１０９】
この場合、イヤースピーカ装置１の電気音響変換部２Ｌは、管状ダクト８Ｌがリスナの外耳道入口１０２Ｌ近傍まで延長されているため、一般的なバスレフ型の電気音響変換部２Ｌ（図７）において、管状ダクト１８Ｌ及び１９Ｌから出力される特性曲線ＳＬ２（図８）のような低音と比較して、特性曲線ＳＬ１（図９）のような音圧レベルが大きい低音をリスナの鼓膜１０３Ｌに到達させることができ、その結果スピーカユニット７Ｌの口径が比較的小さく外耳道入口１０２Ｌからやや離れていることにより不足しがちな低音を、十分な音圧レベルでリスナに聴取させることができる。
【０１１０】
さらにイヤースピーカ装置１は、低音の再生音量を上げるのではなく、低音の放射口である管状ダクト８Ｌの孔部８ＡＬを鼓膜１０３Ｌに近づけることによりリスナの鼓膜１０３Ｌ（図６）に充分な低音を到達させているため、例えば大口径のスピーカやサブウーファー等を用いて低音を再生するような場合と比較して、周囲に漏れる低音や振動をほぼ皆無にすることができる。
【０１１１】
従って、例えばリスナが深夜にイヤースピーカ装置１を介して再生音を聴取する場合等に、近隣や周囲への迷惑を殆ど気にすることなく、充分な低音が含まれる良好な再生音を堪能することができる。
【０１１２】
そのうえイヤースピーカ装置１は、ダクト空間をスピーカユニット７Ｌのバスレフダクトとして作用させながら、固定部５Ｌに対して筐体部４Ｌを自在に回転させることができるため、電気音響変換部２Ｌを閉状態とすることにより、スピーカユニット７Ｌを内側へ向け周囲に漏れる中高音を低減させることができる。
【０１１３】
さらにイヤースピーカ装置１は、この閉状態において、開状態よりもスピーカユニット７Ｌが鼓膜１０３Ｌに近づくためにリスナがアンプ等の音量レベルを下げることにより、音漏れを一段と低減することも期待できる。
【０１１４】
またイヤースピーカ装置１は、リスナの操作に基づき音漏れ低減回路９を動作させた場合、周囲の人間が耳障りに感じやすい約４ｋ［Ｈｚ］付近の周波数帯域における音量レベルを、そのときの全体的な音量レベルに応じて低減することができる。
【０１１５】
さらに管状ダクト８Ｌは、リスナの外耳道入口１０２Ｌを塞ぐことがないため、再生音と共に、当該リスナの周囲で発生した周囲音を遮断することなく鼓膜１０３Ｌに到達させて聴取させることができる。
【０１１６】
これによりイヤースピーカ装置１では、リスナが歩行するときやスポーツを行うときなど、リスナが周囲音を聴取する必要がある場合にも、良好な再生音に加えて確実に周囲音を聴取させることができる。
【０１１７】
またイヤースピーカ装置１は、従来の密閉型ヘッドホンのように、リスナの耳介１０１Ｌ等を電気音響変換部２Ｌによって覆ってしまうことがないため、密閉型ヘッドホンを装着したリスナが感じるような閉塞感や蒸れといった不快感を与えることがない。さらにイヤースピーカ装置１では、密閉空間を形成しないため、密閉型ヘッドホンを使用した場合に生じ得る、外耳道における共振周波数の変化を生じることもなく、リスナに違和感を与えることもない。
【０１１８】
そのうえイヤースピーカ装置１は、低音の放射口である管状ダクト８Ｌの孔部８ＡＬを鼓膜１０３Ｌに近づけることによりリスナに十分な音量レベルの低音を聴取させ得るため、スピーカユニット７Ｌの口径を不必要に大きくする必要が無く、筐体部４Ｌの大きさを必要最小限に止めることができる。これによりイヤースピーカ装置１では、全体の大きさや重量を必要最小限に抑えることができるので、リスナがイヤースピーカ装置１を装着した際の大きさや重さによる煩わしさを極力抑えることができる。
【０１１９】
以上の構成によれば、イヤースピーカ装置１は、リスナの頭部１００に装着された際、電気音響変換部２Ｌのスピーカユニット７Ｌを当該リスナの外耳道入口１０２Ｌよりもやや前方に位置させると共に、管状ダクト８Ｌの孔部８ＡＬを外耳道入口１０２Ｌの近傍に位置させた状態で再生音を出力することにより、バスレフダクトとして作用する管状ダクト８Ｌの孔部８ＡＬから放射する低音を十分な音圧レベルで鼓膜１０３に到達させることができ、さらに管状ダクト８Ｌを動かすことなく筐体部４Ｌを回転させることができるので、自然な音像定位を与えながら比較的低音域まで充分な音圧レベルでなる良好な再生音をリスナに聴取させ、さらに周囲への音漏れを低減させることができる。
【０１２０】
（６）他の実施の形態
なお上述した実施の形態においては、管状ダクト８Ｌが側面略Ｕ字状に形成され、孔部８ＡＬを境に２本のバスレフダクトとして機能させるようにした場合について述べたが、本発明はこれに限らず、当該管状ダクト８Ｌを１本や３本以上の管状ダクトによって構成するようにしても良い。
【０１２１】
例えば図２１に示すように、イヤースピーカ装置９０の電気音響変換部９２Ｌにおいては、固定部５Ｌからバスレフダクトとして機能する１本の管状ダクト９８Ｌが後方へ延長され、全体として１系統のバスレフダクトを形成するようになされている。この管状ダクト９８Ｌは、先端部にリスナの外耳道入口１０２Ｌを傷つけないための保護部９９Ｌが取り付けられていても良い。この場合、保護部９９Ｌは、音を通しやすいスポンジ状の部材等で構成されることにより、周囲音を遮断せずリスナに聴取させることができる。
【０１２２】
また上述した実施の形態においては、金属等の固い材料で形成された管状ダクト８Ｌを用いるようにした場合について述べたが、本発明はこれに限らず、可撓性を有する樹脂等の柔らかい材料で形成された管状ダクト８Ｌを用いるようにしても良い。この場合、当該管状ダクト８Ｌの材料の違いを考慮した上で内径や経路長が設計されることが望ましい。
【０１２３】
さらに上述した実施の形態においては、管状ダクト８Ｌが固定部５Ｌの後側面を貫通するよう設けられた場合について述べたが、本発明はこれに限らず、当該管状ダクト８Ｌが当該固定部５Ｌにおける他の側面を貫通するよう設けられていても良い。
【０１２４】
さらに上述した実施の形態においては、イヤースピーカ装置１がリスナの頭部１００（図５）に装着された際、固定部５Ｌに対して筐体部４Ｌを回転させてスピーカユニット７Ｌの放音面がほぼ後方向を向く開状態（図６）又は当該放音面が内側を向く閉状態（図１３）のいずれかとするようにした場合について述べたが、本発明はこれに限らず、例えば筐体部４Ｌが当該開状態と閉状態との間における任意の位置となるようにしても良く、要は当該スピーカユニット７Ｌの放音面がおおよそ外耳道入口１０２Ｌの方向に向き、放射する中高音が効率良く鼓膜１０３Ｌへ到達されれば良い。
【０１２５】
さらに上述した実施の形態においては、筐体部４Ｌ（図１及び図３等）のバッフル面４ＦＬにスピーカユニット７Ｌのみを設けるようにした場合について述べたが、本発明はこれに限らず、例えば図２２に示すように、筐体部４Ｌの後面の外周縁に沿うようにクッション材９９Ｌが設けられるようにする等しても良い。この場合、クッション材９９Ｌの存在により、リスナの頭部１００や耳介１０１Ｌと筐体部４Ｌとの接触による不快感を低減することができると共に、当該クッション材９９Ｌにより音が反射又は吸収されることにより、特に閉状態において、周囲への音漏れを一段と軽減することができる。
【０１２６】
さらに上述した実施の形態においては、筐体部４Ｌが全体として楕円柱状に形成された場合について述べたが、本発明はこれに限らず、例えば後側を平面状とする半楕円体状や直方体状等の任意の形状であっても良く、要はバスレフ型スピーカのエンクロージャとして機能し得る密閉空間を形成すると共に固定部５Ｌに対して回転自在に構成され、さらに筐体部内の密閉空間と管状ダクト８Ｌ内の空間とが繋がることによりバスレフダクトを形成し得るようになされていればよい。
【０１２７】
さらに上述した実施の形態においては、イヤースピーカ装置１が左右の電気音響変換部２Ｌ及び２Ｒを有し、２チャンネルの再生音を出力するようにした場合について述べたが、本発明はこれに限らず、例えば左側の電気音響変換部２Ｌのみを有し１チャンネルの再生音を出力するようにしても良い。
【０１２８】
さらに上述した実施の形態においては、筐体部４Ｌに中高音用のスピーカユニット７Ｌを設けるようにした場合について述べたが、本発明はこれに限らず、例えば中音用及び高音用といった２つのスピーカユニットを１つの筐体部４Ｌに設けて２ウェイスピーカとするなど、複数のスピーカユニットを筐体部４Ｌに設けるようにしても良い。
【０１２９】
さらに上述した実施の形態においては、固定部５Ｌ及び５Ｒに対して管状ダクト８Ｌ及び８Ｒが一体に取り付けられているようにした場合について述べたが、本発明はこれに限らず、取り付け及び取り外し可能な構成としても良い。
【０１３０】
さらに上述した実施の形態においては、軸部４ＢＸＬ及び４ＣＸＬ内の空間、固定部５Ｌにおける孔部５ＡＬの空間、並びに管状ダクト８Ｌ内の空間により形成される２系統のダクト空間におけるダクト長がそれぞれ同じ長さに設定されるようにした場合について述べたが、本発明はこれに限らず、各ダクト長が互いに異なる長さとなるようにしても良い。
【０１３１】
さらに上述した実施の形態においては、筐体部としての筐体部４Ｌ及び４Ｒと、スピーカユニットとしてのスピーカユニット７Ｌ及び７Ｒと、管状ダクトとしての管状ダクト８Ｌ及び８Ｒと、回転部としての固定部５Ｌ及び５Ｒ、軸部４ＢＸＬ、４ＣＸＬ、４ＢＸＲ及び４ＣＸＲとによって電気音響変換器としての電気音響変換部２Ｌ及び２Ｒを構成するようにした場合について述べたが、本発明はこれに限らず、その他種々の構成でなる筐体部と、スピーカユニットと、管状ダクトと、回転部とによって電気音響変換器を構成するようにしても良い。
【０１３２】
さらに上述した実施の形態においては、筐体部としての筐体部４Ｌ及び４Ｒと、スピーカユニットとしてのスピーカユニット７Ｌ及び７Ｒと、装着部としてのバンド部３と、管状ダクトとしての管状ダクト８Ｌ及び８Ｒと、回転部としての固定部５Ｌ及び５Ｒ、軸部４ＢＸＬ、４ＣＸＬ、４ＢＸＲ及び４ＣＸＲとによってイヤースピーカ装置としてのイヤースピーカ装置１を構成する場合について述べたが、本発明はこれに限らず、その他種々の構成でなる筐体部と、スピーカユニットと、装着部と、管状ダクトと、回転部とによってイヤースピーカ装置を構成するようにしても良い。
【産業上の利用可能性】
【０１３３】
本発明は、バスレフ型のスピーカ以外にも、バックロードホーン型等の他、種々のダクトを有するスピーカ装置をリスナの頭部に装着させる種々のイヤースピーカ装置でも利用できる。
【図面の簡単な説明】
【０１３４】
【図１】イヤースピーカ装置の全体構成（１）を示す略線的斜視図である。
【図２】イヤースピーカ装置の全体構成（２）を示す略線的斜視図である。
【図３】電気音響変換部の構成を示す略線的斜視図である。
【図４】筐体部の回転の説明に供する略線的斜視図である。
【図５】イヤースピーカ装置の装着状態（１）を示す略線的側面図である。
【図６】イヤースピーカ装置の装着状態（２）を示す略線的上断面図である。
【図７】一般的なバスレフ型のイヤースピーカ装置を示す略線的上断面図である。
【図８】従来のバスレフ型スピーカにおける周波数特性を示す略線図である。
【図９】イヤースピーカ装置の周波数特性を示す略線図である。
【図１０】理論的な周波数特性を示す略線図である。
【図１１】実測による周波数特性を示す略線図である。
【図１２】音漏れの周波数特性を示す略線図である。
【図１３】イヤースピーカ装置の装着状態（３）を示す略線的上断面図である。
【図１４】音漏れ低減回路の構成を示す回路図である。
【図１５】音漏れ低減回路の周波数特性を示す略線図である。
【図１６】イヤースピーカ装置の構成及び装着の例（１）を示す略線的側面図である。
【図１７】イヤースピーカ装置の構成及び装着の例（２）を示す略線的側面図である。
【図１８】イヤースピーカ装置の構成及び装着の例（３）を示す略線的側面図である。
【図１９】イヤースピーカ装置の構成及び装着の例（４）を示す略線的側面図である。
【図２０】イヤースピーカ装置の構成及び装着の例（５）を示す略線的側面図である。
【図２１】他の実施の形態による管状ダクトの構成例を示す略線的斜視図である。
【図２２】他の実施の形態による筐体部の構成例を示す略線的斜視図である。
【符号の説明】
【０１３５】
１、２０、３０、４０、５０、６０、８０、９０……イヤースピーカ装置、２Ｌ、２Ｒ、７２Ｌ、９２Ｌ……電気音響変換部、３、３１、５１、６１、７１、８１……バンド部、３ＢＬ、３ＢＲ……アジャスト部、４Ｌ、４Ｒ、１４Ｌ……筐体部、４ＡＬ……中央部、４ＢＬ……上底部、４ＣＬ……下底部、４ＢＸＬ、４ＣＸＬ……軸部、４ＦＬ、４ＦＲ……バッフル面、５Ｌ、５Ｒ……固定部、５ＡＬ……孔部、７Ｌ、７Ｒ……スピーカユニット、８Ｌ、８Ｒ、８８Ｌ……管状ダクト、８ＡＬ、８ＡＲ……孔部、１００……頭部、１０１Ｌ……耳介、１０２Ｌ……外耳道入口、１０３Ｌ……鼓膜。
【図１】
2008141690.tif 000003
【図２】
2008141690.tif 000004
【図３】
2008141690.tif 000005
【図４】
2008141690.tif 000006
【図５】
2008141690.tif 000007
【図６】
2008141690.tif 000008
【図７】
2008141690.tif 000009
【図８】
2008141690.tif 000010
【図９】
2008141690.tif 000011
【図１０】
2008141690.tif 000012
【図１１】
2008141690.tif 000013
【図１２】
2008141690.tif 000014
【図１３】
2008141690.tif 000015
【図１４】
2008141690.tif 000016
【図１５】
2008141690.tif 000017
【図１６】
2008141690.tif 000018
【図１７】
2008141690.tif 000019
【図１８】
2008141690.tif 000020
【図１９】
2008141690.tif 000021
【図２０】
2008141690.tif 000022
【図２１】
2008141690.tif 000023
【図２２】
2008141690.tif 000024